(57)【要約】      （修正有）【課題】開封の有無を目視で容易に識別できるブレードケースを提供する。【解決手段】ハブブレード６を収容する開口部を有する収容体２と、開口部を閉塞及び開放する蓋体３と、収容体２及び蓋体３を開閉自在に連結する連結部４とを含み、収容体２にはハブブレード６の回転軸挿入孔に遊嵌する凸部２２が形成され、凸部２２の頂部には係止孔２３０と係止孔２３０に配置される第１ロック爪２３１とが形成され、蓋体３には係止孔２３０に挿入されて第１ロック爪２３１と係止する第２ロック爪３２１と、第２ロック爪３２１を蓋体３から分離可能に連結する破断連結部３２０とを含む封止手段３２が形成され、封止手段３２は、破断連結部３２０が破断された際に係止孔２３０への挿し込み方向に変位して、封止手段３２の解除を示す開封指示部３３を備える。【選択図】図６
0003222452.tif 000002
【実用新案登録請求の範囲】
【請求項１】
中央部に回転軸挿入孔が形成された切削ブレードを収容するブレードケースであって、
切削ブレードを収容する開口部を有する収容体と、該開口部を閉塞及び開放する蓋体と、該収容体及び該蓋体を開閉自在に連結する連結部とを含み、
該収容体には該切削ブレードの回転軸挿入孔に遊嵌する凸部が形成され、該凸部の頂部には係止孔と該係止孔に配置される第１ロック爪とが形成され、
該蓋体には該係止孔に挿入されて該第１ロック爪と係止する第２ロック爪と、該第２ロック爪を該蓋体から分離可能に連結する破断連結部とを含む封止手段が形成され、
該封止手段は、該破断連結部が破断された際に該係止孔への挿し込み方向に変位して、該封止手段の解除を示す開封指示部を備えたことを特徴とするブレードケース。
【請求項２】
該開封指示部は、該第２ロック爪に連結される板状部材を備え、該板状部材は、該蓋体の貫通孔の内周面に該破断連結部を介して連結されることを特徴とする請求項１に記載のブレードケース。
【請求項３】
該開封指示部は、該破断連結部に破断力を伝達する押圧部を兼ねることを特徴とする請求項１または２に記載のブレードケース。
【請求項４】
該第１ロック爪及び第２ロック爪は、該第２ロック爪を該係止孔に挿し込む方向への移動を許容し、該係止孔から引き抜く方向への移動を規制することを特徴とする請求項１から３のいずれか一項に記載のブレードケース。
【考案の詳細な説明】
【技術分野】
【０００１】
本考案は、切削ブレードが収容されるブレードケースに関する。
【背景技術】
【０００２】
半導体ウエーハのダイシング等に用いられる切削ブレードには、円形基台の外周にリング状の切刃が電鋳によって形成されたハブブレードと称されるタイプのものと、フランジで挟持して使用されるリング状の切刃が電鋳のみによって形成されたワッシャーブレードと称されるタイプのものがある。いずれの切削ブレードについても、切刃の厚さが２０μｍから１００μｍときわめて薄く、流通過程において損傷しやすいことから、これらの切削ブレードはブレードケースに収容されている。
【０００３】
この種のブレードケースとして、従来、収容体と蓋体とを備えた開閉式のケースであって、収容体には切削ブレードの回転軸挿入孔に遊嵌する凸部が形成され、凸部の頂部には係止孔が形成され、蓋体には係止孔に係止される爪部と、爪部を蓋体から分離可能に連結する破断連結部と、破断連結部に破断力を伝達する押圧部とから構成される封止手段が形成されたものが提案されている（例えば、特許文献１参照）。
【先行技術文献】
【特許文献】
【０００４】
【特許文献１】特開２００８−２８００７３号公報
【考案の概要】
【考案が解決しようとする課題】
【０００５】
しかし、従来の構成では、封止手段を解除（開封）する場合、押圧部を指で押さえながら蓋体を開放する。これにより、破断連結部が破断して蓋体と押圧部（封止手段）とが分離して開封される。開封の確認には、破断連結部が実際に破断していることを確認する必要があり、開封の有無を容易に識別することができないという問題があった。
【０００６】
本考案は、上記に鑑みてなされたものであって、開封の有無を目視で容易に識別できるブレードケースを提供することを目的とする。
【課題を解決するための手段】
【０００７】
上述した課題を解決し、目的を達成するために、本考案は、中央部に回転軸挿入孔が形成された切削ブレードを収容するブレードケースであって、切削ブレードを収容する開口部を有する収容体と、該開口部を閉塞及び開放する蓋体と、該収容体及び該蓋体を開閉自在に連結する連結部とを含み、該収容体には該切削ブレードの回転軸挿入孔に遊嵌する凸部が形成され、該凸部の頂部には係止孔と該係止孔に配置される第１ロック爪とが形成され、該蓋体には該係止孔に挿入されて該第１ロック爪と係止する第２ロック爪と、該第２ロック爪を該蓋体から分離可能に連結する破断連結部とを含む封止手段が形成され、該封止手段は、該破断連結部が破断された際に該係止孔への挿し込み方向に変位して、該封止手段の解除を示す開封指示部を備えたことを特徴とする。
【０００８】
この構成において、該開封指示部は、該第２ロック爪に連結される板状部材を備え、該板状部材は、該蓋体の貫通孔の内周面に該破断連結部を介して連結される構成としてもよい。また、該開封指示部は、該破断連結部に破断力を伝達する押圧部を兼ねてもよい。
【０００９】
また、該第１ロック爪及び第２ロック爪は、該第２ロック爪を該係止孔に挿し込む方向への移動を許容し、該係止孔から引き抜く方向への移動を規制する構成としてもよい。
【考案の効果】
【００１０】
本考案によれば、封止手段は、破断連結部が破断された際に係止孔への挿し込み方向に変位して、該封止手段の解除を示す開封指示部を備えたため、開封指示部の位置に基づいて開封の有無を目視で容易に識別できる。
【図面の簡単な説明】
【００１１】
【図１】図１は、ブレードケースの一例を示す斜視図である。
【図２】図２は、ブレードケース及び切削ブレードの一例を示す斜視図である。
【図３】図３は、ブレードケースの中央縦断面図である。
【図４】図４は、収容部にハブブレードが収容されたブレードケースの中央縦断面図である。
【図５】図５は、封止されたブレードケースの中央縦断面図である。
【図６】図６は、封止が解除されたブレードケースの中央縦断面図である。
【図７】図７は、封止が解除された後に蓋体を開けた状態のブレードケースの中央縦断面図である。
【考案を実施するための形態】
【００１２】
以下、本実施形態に係るブレードケースについて図面を参照して説明する。図１に示すブレードケース１は、収容体２と蓋体３と連結部４とストッパ部５とを備え、例えばポリプロピレンなどの樹脂材料によって一体に成形されている。収容体２は、切削ブレードを収容する。収容体２は、底面２０ａとその周縁部から起立した壁部２０ｂとによって囲まれ、切削ブレードを収容するために凹状に開口した開口部２０を有している。
【００１３】
ブレードケース１に収納されるブレードとしては、例えば図２に示すハブブレード６がある。このハブブレード６は、基台６０の周縁部から切削刃６１が外周側に突出して形成されており、基台６０の中央部には、不図示の切削装置の回転軸に挿入するための回転軸挿入孔６２が形成されている。収容体２の開口部２０の底面２０ａには、ハブブレード６の基台６０の底面を受け止めるリング状の受け止め凸部２２が突出して形成されている。
【００１４】
受け止め凸部２２の内側には、ハブブレード６の回転軸挿入孔６２を遊嵌させる凸部２３が形成されている。この凸部２３の頂部は、平坦な上面２３ａとその周縁部から起立した壁部２３ｂとを備えて形成されている。このため、上面２３ａは壁部２３ｂで囲まれており、該壁部２３ｂの上端よりも低部に位置している。凸部２３の上面２３ａの略中央部には、凸部２３の軸方向（高さ方向）に延在する矩形状の係止孔２３０と、この係止孔２３０に設けられた第１ロック爪２３１とが形成されている。この第１ロック爪２３１は、図３に示すように、上面２３ａに上端部が連結されて係止孔２３０の１つの内側面を構成する。第１ロック爪２３１の内側面には、高さ方向に連続する複数の爪部２３１ａが形成され、第１ロック爪２３１は上端部を支点として弾性的に揺動する。爪部２３１ａは、上端から下端に向けて第１ロック爪２３１の厚みが増加する方向に傾斜する傾斜面と、この傾斜面の下縁から厚み方向の内側に水平に延びる水平面とを備える、いわゆるラチェット爪である。
【００１５】
蓋体３は、収容体２の開口部２０を閉塞及び開放する。また、連結部４は、収容体２と蓋体３とを開閉自在に連結し、ストッパ部５は、収容体２の開口部２０が蓋体３によって閉塞された状態である閉状態と開放された状態である開状態とを切り替える。ストッパ部５は、蓋体３の一方の端部に形成された係止片５０と、これに対応して収容体２の一方の端部に形成され、係止片５０と係止される被係止突起部５１とを備える。ブレードケース１は、係止片５０に被係止突起部５１が係止された状態では閉状態となり、係止片５０に被係止突起部５１が係止されていない状態では開状態となる。
【００１６】
蓋体３には、閉状態時に収容体２に対面しない側に向けて突出した凸部３０が形成されている。一方、収容体２の裏面２４には、ブレードケース１を複数積層させた際に下方のブレードケースの凸部３０と嵌合する凹部２５が形成されている。図１及び図２に示すように、凸部３０は、円弧部３０ａと直線部３０ｂとを有しており、凹部２５もこれに対応して円弧部２５ａと直線部２５ｂとを有している。ブレードケース１を積層した際には、凸部３０が凹部２５に係合すると共に、凸部３０を構成する直線部３０ｂと凹部２５を構成する直線部２５ｂとでブレードケース１の回転を防止する役割を果たす。
【００１７】
図１及び図２に示すように、凸部３０のほぼ中央部には蓋体３の表裏面を貫通する貫通孔３１が形成され、貫通孔３１の内部には封止手段３２が形成されている。封止手段３２は、貫通孔３１の内周面３１ａとの間で破断可能に複数箇所（３箇所）連結され、蓋体３から分離可能な破断連結部３２０と、破断連結部３２０の内周側において収容体２の方向に向けて突出する第２ロック爪３２１と、破断連結部３２０及び第２ロック爪３２１と一体となり貫通孔３１の中心部を塞ぐように配設される板状部材３２２とを備える。
【００１８】
この板状部材３２２は、指で押すことができる程度の径を有する円板状に形成され、破断連結部３２０に破断力を伝達する押圧部として機能する。また、第２ロック爪３２１は、蓋体３を閉じた際に収容体２の係止孔２３０に挿入されて第１ロック爪２３１と係止する。第２ロック爪３２１は、第１ロック爪２３１の爪部２３１ａと対向する面に、高さ方向に連続する複数の爪部３２１ａが形成される。第２ロック爪３２１の爪部３２１ａも第１ロック爪２３１の爪部２３１ａと同様に、先端から基端（板状部材）に向けて第２ロック爪３２１の厚みが増加する方向に傾斜する傾斜面と、この傾斜面の下縁から厚み方向の内側に水平に延びる水平面とを備える。このため、第２ロック爪３２１を係止孔２３０に挿入すると、これら爪部２３１ａ、３２１ａ同士が引掛かって係止される。さらに、第１ロック爪２３１及び第２ロック爪３２１はラチェット機構を構成し、第２ロック爪３２１を係止孔２３０に挿し込む方向への移動（変位）を許容するものの、係止孔２３０から引き抜く方向への移動（変位）を規制する。このため、蓋体３を閉じて、第２ロック爪３２１と第１ロック爪２３１とが係止すると、第１ロック爪２３１と第２ロック爪３２１との係止状態が維持され、ブレードケース１が封止される。
【００１９】
ブレードケース１にハブブレード６を収納するときは、図４に示すように、開口部２０からハブブレード６を収容体２に収容し、凸部２３に回転軸挿入孔６２を遊嵌させた状態で収容体２の受け止め凸部２２に基台６０を載置する。そして、連結部４を支点として蓋体３の端部を持ち上げ、ストッパ部５を構成する係止片５０を被係止突起部５１に係止させることにより、図５に示すように蓋体３によって開口部２０を閉塞し、ブレードケース１を閉状態に固定する。このとき、封止手段３２を構成する破断連結部３２０は、図１及び図２に示した貫通孔３１の内周面３１ａと連結されたままの状態となっている。
【００２０】
このようにしてブレードケース１を閉状態とする際には、第２ロック爪３２１が係止孔２３０に挿し込まれる。そうすると、第２ロック爪３２１の爪部３２１ａと第１ロック爪２３１の爪部２３１ａとが係止されるため、封止手段３２によって収容体２と蓋体３とが封止される。第２ロック爪３２１を係止孔２３０に挿し込んだ際に、第１ロック爪２３１は、上端部を支点して弾性的に揺動することにより、第２ロック爪３２１の爪部３２１ａと第１ロック爪２３１の爪部２３１ａとがしっかりと係止される。このとき、封止手段３２を構成する板状部材３２２は、収容体２の凸部２３の上面２３ａとの間に隙間をあけて支持されている。
【００２１】
一方、封止手段３２の封止を解除（開封）するには、図５及び図６に示すように、板状部材３２２を指で下方に押し下げる。このとき、第２ロック爪３２１が係止孔２３０に挿し込む方向へ移動することにより、板状部材３２２は、収容体２の凸部２３の上面２３ａに接触するまで変位する。このため、破断連結部３２０が貫通孔３１の内周面３１ａとの間で破断し、蓋体３と封止手段３２とが分離して封止状態が解除される。本実施形態では、板状部材３２２は、例えば、蓋体３の上面と面一の状態から該上面よりも低い位置に変位する。これにより、蓋体３に対する板状部材３２２の位置に注目することで封止手段３２が解除されているか否かを容易に視覚で識別することができる。本実施形態では、板状部材３２２及び第２ロック爪３２１は、破断連結部３２０が破断された際に係止孔２３０への挿し込み方向に変位して、封止手段３２の解除を示す開封指示部３３を構成する。
【００２２】
封止手段３２が解除されると、図７に示すように、ストッパ部５の係止片５０を被係止突起部５１から外す方向に引張ることにより、ストッパ部５を開状態とし、連結部４を支点として蓋体３を開放してハブブレード６を取り出すことができる。この場合、開封指示部３３（封止手段３２）を構成する板状部材３２２は、第２ロック爪３２１によって、収容体２に残ったままとなる。
【００２３】
このように、板状部材３２２を押し下げて破断連結部３２０を破断させることにより、収容体２と蓋体３とが封止された状態を解除することができ、更には、蓋体３に対する板状部材３２２の位置に基づき、封止手段３２が解除されているか否かを容易に視覚で識別することができる。従って、従来のように、破断連結部が実際に破断されているか否かを確認する必要がない。
【００２４】
また、板状部材３２２が蓋体３とほぼ面一の位置にある状態では、封止状態が解除されたことがないことになるため、この場合は新品の切削ブレードが収容されていると判断することができる。一方、板状部材３２２が蓋体３よりも低い位置に変位している状態では、封止状態が解除されたことになるため、切削ブレードが新品でないと判断することができる。封止手段３２が解除された後は、ストッパ部５の操作のみによってブレードケース１が開状態と閉状態のいずれかに選択的に維持される。
【００２５】
以上のように、本実施形態に係るブレードケース１は、ハブブレード６を収容する開口部２０を有する収容体２と、開口部２０を閉塞及び開放する蓋体３と、収容体２及び蓋体３を開閉自在に連結する連結部４とを含み、収容体２にはハブブレード６の回転軸挿入孔６２に遊嵌する凸部２３が形成され、凸部２３の頂部には係止孔２３０と係止孔２３０に配置される第１ロック爪２３１とが形成され、蓋体３には係止孔２３０に挿入されて第１ロック爪２３１と係止する第２ロック爪３２１と、第２ロック爪３２１を蓋体３から分離可能に連結する破断連結部３２０とを含む封止手段３２が形成され、封止手段３２は、破断連結部３２０が破断された際に係止孔２３０への挿し込み方向に変位して、封止手段３２の解除を示す開封指示部３３を備える。このため、開封指示部３３を構成する板状部材３２２の位置に基づいて、封止手段３２が解除の有無を目視で容易に識別できる。
【００２６】
また、開封指示部３３は、第２ロック爪３２１に連結される板状部材３２２を備え、板状部材３２２は、蓋体３の貫通孔３１の内周面３１ａに破断連結部３２０を介して連結されるため、開封指示部３３を封止手段３２の一部として構成することができ、簡素な構成で封止手段３２が解除の有無を識別できる。
【００２７】
また、開封指示部３３の板状部材３２２は、破断連結部３２０に破断力を伝達する押圧部を兼ねるため、構成の簡素化を実現できる。また、第１ロック爪２３１及び第２ロック爪３２１は、第２ロック爪３２１を係止孔２３０に挿し込む方向への移動を許容し、係止孔２３０から引き抜く方向への移動を規制するため、封止手段３２によるブレードケース１の封止と、封止手段３２の解除を示す開封指示部３３の各動作を実現することができる。
【００２８】
なお、本考案は、上記実施形態に限定されるものではない。すなわち、本考案の骨子を逸脱しない範囲で種々変形して実施することができる。例えば、第１ロック爪２３１及び第２ロック爪３２１の各爪部の形状は、第２ロック爪３２１を係止孔２３０に挿し込む方向への移動を許容し、係止孔２３０から引き抜く方向への移動を規制するものであれば、周知の構造を用いてもよい。
【符号の説明】
【００２９】
１  ブレードケース
２  収容体
３  蓋体
４  連結部
５  ストッパ部
６  ハブブレード（切削ブレード）
２０  開口部
２０ａ  底面
２０ｂ  壁部
２３  凸部
２３ａ  上面
２３ｂ  壁部
３１  貫通孔
３１ａ  内周面
３２  封止手段
３３  開封指示部
６０  基台
６１  切削刃
６２  回転軸挿入孔
２３０  係止孔
２３１  第１ロック爪
２３１ａ  爪部
３２０  破断連結部
３２１  第２ロック爪
３２１ａ  爪部
３２２  板状部材（押圧部）
【図１】
0003222452.tif 000003
【図２】
0003222452.tif 000004
【図３】
0003222452.tif 000005
【図４】
0003222452.tif 000006
【図５】
0003222452.tif 000007
【図６】
0003222452.tif 000008
【図７】
0003222452.tif 000009